(57)【特許請求の範囲】
【請求項１】
遮蔽材（１２）を支持する支持部材（１０）から垂下されたループ状の操作コード（１４）を有し、操作コードの操作により遮蔽材を動作させることが可能なブラインドの操作装置において、
操作コードにはウエイト（１６）が着脱可能に吊下げられており、該ウエイトはウエイト本体（１８）とウエイト本体を下方から被覆する弾性材よりなるカバー（２０）とから構成され、カバーは、該カバーの弾性を利用してウエイト本体に係合及び係合を解除可能であり、ウエイト本体にカバーを係合することによりウエイト本体からの操作コードの着脱が不能となり、一方、ウエイト本体とカバーとの係合を解除することにより、ウエイト本体からの操作コードの着脱が可能となるようにしており、
前記ウエイト本体の周壁上方には、操作コードが挿通可能なスリット（１８ｅ、１８ｅ、１８ｆ）が形成されており、該スリットを挿通して操作コードがウエイト本体に着脱され、
ウエイト本体とカバーとの係合中には、カバーがスリットの少なくとも一部を覆っていることを特徴とするブラインドの操作装置。
【請求項２】
ウエイト本体には操作コードが転回可能なガイド部（１８ｄ）と、ウエイト本体からの操作コードの脱落を防止可能な壁部（１８ｂ、１８ｃ）と、が設けられ、スリットとガイド部とは離間した位置に配置されていることを特徴とする請求項１記載のブラインドの操作装置。
【請求項３】
カバーは中空となっており、該中空内にウエイト本体を収容でき、カバーの上部には一対の係止片（２０ｂ）が形成され、一対の係止片によってウエイト本体の上面を係止可能としたことを特徴とする請求項１または請求項２に記載のブラインドの操作装置。
【請求項４】
ウエイト本体には操作コードの一部を係止可能なフック部（１８ｊ）が形成されており、該フック部は操作コードを操作するときにはウエイトの下方に位置し、操作コードの一部を係止するときにはウエイトの上方に位置することを特徴とする請求項１〜請求項３のいずれか１項に記載のブラインドの操作装置。
【発明の詳細な説明】
【技術分野】
【０００１】
本発明は、遮蔽材を支持する支持部材から垂下された操作コードを有するブラインドの操作装置に関する。
【背景技術】
【０００２】
かかる従来のブラインドの操作装置としては、特許文献１に記載されたものが知られている。
【０００３】
特許文献１に示されるものは、遮蔽材を操作するために上部支持部材から垂下される操作コードの垂下部分にウエイトが取付けられており、このウエイトに設けられた係止部に操作コードの一部を係止可能としたものである。
【０００４】
このように設けられるウエイトは、操作コードを常に緊張状態に保持することによって、上部支持部材内での操作コードの緩みの発生を防止するためのものであるため、一般的にはその機能上、操作コードとは離脱不能に設けられている。
【０００５】
また、ウエイトは通常その自重によって下方に位置づけられているために、ユーザの手の届く範囲にあり、よって、ウエイトに設けられた係止部に操作コードの一部を係止し、操作コードの余分な垂れ下がりを短くする作業を簡単に行うことができるようになっている。
【０００６】
しかしながら、特許文献１に示されるもののように、操作コードとウエイトとが離脱不能に設けられていると、例えば操作コードの交換を行う場合、あらかじめ操作コードにウエイトを取付けた状態で交換作業を行わなければならず、操作コードを交換後に後からウエイトを取付けることができないという問題がある。
【０００７】
また、ウエイトがない操作コードに、後付けでウエイトを取付けることも困難である。
【０００８】
また、例えば特許文献２に示されるブラインドのように、ヘッドレール内を配回される開閉用コードがヘッドレールの両端部のいずれからでも引き出し可能となっている場合、任意に引き出した側で操作部を構成することができるが、このようなブラインドの開閉用コードに特許文献１に示される構成を適用した場合、ウエイトは開閉用コードに対し離脱不能であるため、開閉用コードの引き出し側を変更しても、変更前に取付けられていた開閉用コードから変更後の開閉用コードにウエイトの位置を変更することができないという問題がある。
【先行技術文献】
【特許文献】
【０００９】
【特許文献１】特開２００７−２５５１４１号公報
【特許文献２】特開２０１１−１１７１４７号公報
【発明の概要】
【発明が解決しようとする課題】
【００１０】
本発明はかかる課題に鑑みなされたもので、操作コードに対してウエイトを着脱可能としたブラインドの操作装置を提供することをその目的とする。
【課題を解決するための手段】
【００１１】
前述した目的を達成するために、本発明は、遮蔽材を支持する支持部材から垂下されたループ状の操作コードを有し、操作コードの操作により遮蔽材を動作させることが可能なブラインドの操作装置において、
操作コードにはウエイトが着脱可能に吊下げられており、該ウエイトはウエイト本体とウエイト本体を被覆する弾性材よりなるカバーとから構成され、カバーは、該カバーの弾性を利用してウエイト本体に係合及び係合を解除可能であり、ウエイト本体にカバーを係合することによりウエイト本体からの操作コードの着脱が不能となり、一方、ウエイト本体とカバーとの係合を解除することにより、ウエイト本体からの操作コードの着脱が可能となるようにしたことを特徴とする。
【００１２】
さらに、ウエイト本体には、操作コードが挿通可能なスリットが形成されており、該スリットを挿通して操作コードがウエイト本体に着脱されることを特徴とする。
【００１３】
さらに、ウエイト本体とカバーとの係合中には、カバーがスリットの少なくとも一部を覆っていることを特徴とする。
【００１４】
さらに、ウエイト本体には操作コードが転回可能なガイド部と、ウエイト本体からの操作コードの脱落を防止可能な壁部と、が設けられ、スリットとガイド部とは離間した位置に配置されていることを特徴とする。
【００１５】
さらに、カバーは中空となっており、該中空内にウエイト本体を収容でき、カバーの上部には一対の係止片が形成され、一対の係止片によってウエイト本体の上面を係止可能としたことを特徴とする。
【００１６】
さらに、ウエイト本体には操作コードの一部を係止可能なフック部が形成されており、該フック部は操作コードを操作するときにはウエイトの下方に位置し、操作コードの一部を係止するときにはウエイトの上方に位置するようにしたことを特徴とする。
【発明の効果】
【００１７】
本発明によれば、ウエイト本体とこれを被覆するカバーとを、カバーの弾性を利用して係合したり、係合を解除したりすることにより、ウエイト本体からの操作コードの着脱を不可能な状態にしたり、可能な状態にしたりすることができる。
【図面の簡単な説明】
【００１８】
【図１】本発明のブラインドの操作装置が適用可能なブラインドの一例を表す斜視図である。
【図２】本発明を実施したウエイトの分解斜視図である。
【図３】ウエイト本体にカバーを係合した状態を表し、（ａ）は断面図であり、（ｂ）は（ａ）のｂ−ｂ断面図である。
【図４】ウエイト本体の断面図であり、（ａ）はウエイト本体とカバーの係止片との係止を解除した状態を表し、（ｂ）はウエイト本体に対してカバーを下方へスライドさせた状態を表す。
【図５】ウエイトの斜視図であり、（ａ）はウエイト本体にカバーを係合した状態を表し、（ｂ）はウエイト本体とカバーの係止片との係止を解除した状態を表し、（ｃ）はウエイト本体に対してカバーを下方へスライドさせた状態を表し、（ｄ）はウエイト本体に対して離隔する方向にカバーの係止片を大きく開いた状態を表す。
【図６】ウエイトのフック部に操作コードを係止させた状態を表す斜視図であり、（ａ）は操作コードをフック部に係止しただけの状態を表し、（ｂ）は操作コードをフック部に係止した後にウエイトを操作コードに対して上方にスライドさせた状態を表し、（ｃ）は操作コードをウエイトに一周半巻付けた後フック部に係止した状態を表す。
【発明を実施するための形態】
【００１９】
以下、図面を用いて本発明の実施の形態を説明する。
図１は、本発明のブランドの操作装置が適用可能なブラインドの一例であり、窓枠等の固定部に固定される上部支持部材１０と、上部支持部材１０に動作可能に支持される遮蔽材１２としての複数のルーバーとを備えている。図示した例ではブラインドは縦型ブラインドとなっているが、これに限るものではなく、横型ブラインド、ロールスクリーン、プリーツスクリーン、ローマンシェードといった任意のブラインドに適用可能である。
【００２０】
そして、この動作を操作するために上部支持部材１０からはループ状の操作コード１４が垂下されている。遮蔽材１２の動作としては遮蔽材の左右移動、上下移動、回転といったものとすることができる。この操作コードは、直接遮蔽材に連結されるものであってもよいし、または遮蔽材を動作させるための機構部に連結されるものであってもよい。さらに、ループ状の操作コードは、図示したように１本のコードが折り返されることによりループ状を形成するものであってもよいし、または複数のコードが以下で述べるウエイト１６によって纏められることによってループ状を構成するものであってもよい。
【００２１】
本実施形態においては、図１に示すように、ループ状の操作コード１４は、上部支持部材１０の左右どちらからでも垂下可能な構成とされており、上部支持部材１０の左右両端部は操作コード１４を転回させるための転回部１０ａと、操作コード１４を上部支持部材１０から導出させるための導出部１０ｂとをそれぞれ備えている。操作コード１４は１本のコードによって構成されており、上部支持部材１０の図１中右端部において、図中には表わされていない導出部１０ｂから導出されて垂下し、上部支持部材１０の図１中左端部においては転回部１０ａによって折り返されている。操作コード１４の垂下部分の下端にはウエイト１６が着脱可能に吊下げられている。例えば、操作コード１４の垂下部分を左端部に変更して、操作位置または遮蔽材の畳み込み方向を変更する場合には、ウエイト１６を一方の端部の操作コード１４から取外し、他方の端部の操作コード１４に取付ける。
【００２２】
ウエイト１６は、図２ないし図４に示すように、合成樹脂等より成るウエイト本体１８と、ウエイト本体１８を被覆するシリコーンゴムなどの軟質の弾性材より成るカバー２０とから構成される。ウエイト本体１８は、適宜図示したような複数の成形部品を組み付けることで構成可能である。
【００２３】
ウエイト本体１８内には錘収納部１８ａが形成されており、錘収納部１８ａ内には錘１９が収納されている（図３参照）。
【００２４】
ウエイト本体１８は、その錘収納部１８ａより上方に、前後の壁部１８ｂ、１８ｃと、前後の壁部１８ｂ、１８ｃの間にあって両者の左右方向中央部を前後に連結するように設けられるガイド部１８ｄと、を備える。ガイド部１８ｄは前後の壁部１８ｂ、１８ｃの間において、下方、すなわちウエイト本体１８内部に向かって突出しており、その突出面が図３断面において円弧状の形状を有する。また、ウエイト本体１８の錘収納部１８ａより上方の両側部に壁は無く、側部開口部（スリット）１８ｅ、１８ｅとなっている。前後の壁部１８ｂ、１８ｃ内のガイド部１８ｄを挟んだ左右の上端部は上部開口部１８ｇとなっており、前後の壁部１８ｂ、１８ｃの上端面の左右両端部には後述するカバー２０の係止片２０ｂを係止可能な係止凹部１８ｈがそれぞれ形成されている。このように、ウエイト本体１８の錘収納部１８ａより上方は、ガイド部１８ｄ以外の部分が中空となっている。
【００２５】
一方の壁部１８ｂには、操作コード１４が挿通可能なスリット１８ｆが形成されている。スリット１８ｆはガイド部１８ｄから離隔した位置にあり、スリット１８ｆの両端部が側部開口部１８ｅ、１８ｅとそれぞれ連通している。
【００２６】
ウエイト本体１８の下端部にはフック部１８ｊが形成されており、フック部１８ｊによって操作コード１４の一部を係止可能である。フック部１８ｊは操作コード１４を操作するときにはウエイト１６の下方に位置し下方を向いており、操作コード１４の一部を係止するときにはウエイト１６の上方に位置し上方を向いている。
【００２７】
ウエイト本体１８の操作コード１４への吊下げは、左右どちらか一方の上部開口部１８ｇからウエイト本体１８内に挿入した操作コード１４をガイド部１８ｄの円弧状の外周面に沿って折り返し、他方の上部開口部１８ｇを挿通してウエイト本体１８外に導出する形態をとる。この際、操作コード１４はガイド部１８ｄの円弧状の外周面によってその転回が案内されるとともに、前後方向の移動が前後の壁部１８ｂ、１８ｃによって規制される。したがって、ウエイト本体１８から手を離しても、操作コード１４の垂下部分の下端にウエイト本体１８が吊り下げられた状態を維持することができる。
【００２８】
カバー２０は前述のように軟質の弾性材より成り、上下端部が開口した中空の形状を有し、中空内にウエイト本体１８を収容可能である。カバー２０とウエイト本体１８との係脱はカバー２０自身の弾性変形を利用して行われる。カバー２０は、これの前後の壁部２０ａ、２０ａの上端部が凹状にそれぞれ切欠かれており、両側の上端部が一対の係止片２０ｂ、２０ｂを形成している。一対の係止片２０ｂ、２０ｂの上端部はそれぞれ下方に折り返され、折り返された部分が突出し、ウエイト本体１８ｂの係止凹部１８ｈに係止可能な係止凸部２０ｃ、２０ｃとなっている。
【００２９】
カバー２０はウエイト本体１８に係合している状態では、ウエイト本体１８の両側部開口部１８ｅ、１８ｅを係止片２０ｂ、２０ｂがそれぞれ覆うとともに、ウエイト本体１８の係止凹部１８ｈにカバー２０の係止凸部２０ｃが係止されて、ウエイト本体１８からの操作コード１４の着脱が不能となっている。一方、カバー２０のウエイト本体１８との係合が解除された状態では、ウエイト本体１８への操作コード１４の着脱が可能となる。
【００３０】
次に、図３及び図４を用いてウエイト本体１８からのカバー２０の取外し及びウエイト本体１８への取付けの手順について説明する。
【００３１】
ウエイト本体１８からカバー２０を取外す場合、図３（ａ）及び（ｂ）に示すように、ウエイト本体１８に係合しているカバー２０の係止片２０ｂ、２０ｂを、これらの弾性を利用して互いに離隔する方向、すなわち図３（ａ）中左右方向に押し広げる。これにより、図４（ａ）に示すように、カバー２０の係止凸部２０ｃとウエイト本体１８の係止凹部１８ｈとの係止が解除され、カバー２０の両係止片２０ｂ、２０ｂがウエイト本体１８から離隔するように図４（ａ）中左右方向にそれぞれ開く。これにより、ウエイト本体１８に対するカバー２０の係合が解除されるため、カバー２０はウエイト本体１８に対して上下方向に移動可能な状態となる。
【００３２】
この後、図４（ｂ）に示すように、カバー２０をウエイト本体１８に対して下方にスライドさせていくことにより、カバー２０をウエイト本体１８の下方から取外すことができる。
【００３３】
一方、ウエイト本体１８にカバー２０を取付ける場合、まず、カバー２０の弾性を利用してこれの係止片２０ｂ、２０ｂを互いに離隔する方向へ押し広げながら、ウエイト本体１８の下端部をカバー２０内に挿入する。この後、図４（ａ）に示すように、カバー２０の係止凸部２０ｃがウエイト本体１８の上端部に位置するまでカバー２０をウエイト本体１８に対して上方にスライドさせていく。最後に、図３（ａ）に示すように、カバー２０の弾性を利用して、これの係止凸部２０ｃをウエイト本体１８の係止凹部１８ｈに係止させることにより、ウエイト本体１８にカバー２０が取付けられる。
【００３４】
このように、カバー２０の上部に形成される一対の係止片２０ｂによって、ウエイト本体１８の上面に係止する構造であり、弾性材よりなる一対の係止片２０ｂ、２０ｂを互いに離間する方向に押し広げるだけでウエイト本体１８とカバー２０との係合を簡単に解除することができる。また、ウエイト本体１８とカバー２０との係脱にカバー２０自身の弾性を利用するため容易であり、係合するための手段としてヒンジ等の機構を不要にすることができる。
【００３５】
次に、図５を用いて、操作装置の作用及びウエイト１６の操作コード１４への着脱方法について説明する。
【００３６】
図５（ａ）に示すように、操作コード１４にウエイト１６が取付けられている状態においては、操作コード１４は、前述のようにウエイト本体１８のガイド部１８ｄの円弧状の外周面に沿って折り返されて、左右に位置するそれぞれの操作コード１４がウエイト本体１８の両上部開口部１８ｇからそれぞれウエイト本体１８外に導出されており、ウエイト本体１８の自重により操作コード１４は緊張状態に保持されている。そして、ウエイト本体１８にはカバー２０が取付けられており、これにより、ウエイト本体１８の両側部開口部１８ｅ、１８ｅがカバー２０の係止片２０ｂ、２０ｂによってそれぞれ覆われているので、操作コード１４の左右方向の移動が係止片２０ｂ、２０ｂによって規制されているとともに、前後方向の移動がウエイト本体１８の前後の壁部１８ｂ、１８ｃにより規制されている。これにより、操作コード１４のウエイト１６からの脱落が防止されている。
【００３７】
また、弾性材よりなるカバー２０によって、ウエイト１６が操作または風等により揺れて周囲のガラス等に当たったときに、その衝撃力を緩和し、衝突音を抑えることができる。
【００３８】
このように、操作コード１４にウエイト１６が取付けられている状態から、ウエイト１６を取外す場合、前述のウエイト本体１８からのカバー２０の取外しの手順と同様に、図５（ｂ）に示すように、カバー２０の係止片２０ｂ、２０ｂを、これらの弾性を利用して互いに離隔する方向、すなわち図中左右方向に押し広げる。これにより、カバー２０の係止凸部２０ｃとウエイト本体１８の係止凹部１８ｈとの係止を解除し、カバー２０の両係止片２０ｂ、２０ｂをウエイト本体１８から離隔するように図５（ｂ）中左右方向にそれぞれ開く。
【００３９】
この後、図５（ｃ）に示すように、カバー２０をウエイト本体１８に対して下方にスライドさせることにより、スライド本体１８の側部開口部１８ｅ、１８ｅを開放させるようにしてもよく、あるいは、図５（ｄ）に示すように、カバー２０の両係止片２０ｂ、２０ｂを図５（ｂ）に示す状態よりもさらに大きく開いて、ウエイト本体１８の側部開口部１８ｅ、１８ｅを開放させるようにしてもよい。いずれの場合もカバー２０はそれ自身の粘着性によってウエイト本体１８に保持される。そして側部開口部１８ｅ、１８ｅを開放させた状態で、左右の操作コード１４のうちの一方を、図示例では図中左側の操作コード１４を、図中左側の側部開口部１８ｅを介してウエイト本体１８から取外した後、図中右側の操作コード１４を、スリット１８ｆに沿って図中右側の側部開口部１８ｅまで移動させ、右側の側部開口部１８ｅを介してウエイト本体１８から取外すことにより、操作コード１４がウエイト本体１８から取外される。このようにして、ウエイト１６を操作コード１４から取外すことができる。
【００４０】
一方、操作コード１４にウエイト１６を取付ける場合は、上記した取外しの手順と逆の手順で行えばよい。
【００４１】
すなわち、ウエイト本体１８に対してカバー２０を図５（ｃ）あるいは図５（ｄ）の状態にし、左右の操作コード１４のうちの一方を、図示例では図中右側の操作コード１４を図中右側の側部開口部１８ｅを介して前後の壁部１８ｂ及び１８ｃの間に挿入し、スリット１８ｆに沿って図中左側の側部開口部１８ｅまで移動させて、図中左側の操作コード１４を側部開口部１８ｅを介して前後の壁部１８ｂ及び１８ｃの間に挿入する。そして、カバー２０をウエイト本体１８に対して上方にスライドさせるか、あるいは両係止片２０ｂを互いに押し広げる力を緩めるかすると、図５（ｂ）の状態になる。この後、係止片２０ｂ、２０ｂはその弾性復元力により互いに更に近づく方向に移動し、側部開口部１８ｅ、１８ｅをそれぞれ覆う。最後に、係止凸部２０ｃを係止凹部１８ｈに係止させることにより、カバー２０がウエイト本体１８に係合する。これにより、操作コード１４にウエイト１６が取付けられる。
【００４２】
このように、操作コード１４へのウエイト１６の着脱は、ウエイト本体１８からカバー２０を完全に取外さなくても、カバー２０自身の弾性を利用して、ウエイト本体１８に対して上下方向にずらしたり、係止片２０ｂ、２０ｂを互いに離隔する方向に押し広げたりするだけでよいため、容易に行うことができる。
【００４３】
このようにして、操作コード１４に取付けられたウエイト１６は、操作コード１４の一部をフック部１８ｊに係止させることにより、操作コード１４の垂下量を小さくする機能も有している。操作コード１４を係止させる際には、ウエイト１６を上下反転させ、フック部１８ｊを上部に位置させる。
【００４４】
操作コード１４をフック部１８ｊに係止させる際の操作コード１４の態様は様々考えられるが、例えば、図６（ａ）、（ｂ）、（ｃ）に示すものが考えられる。
【００４５】
図６（ａ）に示すものは、ウエイト１６から導出された操作コード１４をウエイト１６の前面あるいは後面に沿って這わせ、ウエイト１６の上端部でフック部１８ｊに係止させたものである。
【００４６】
また、図６（ｂ）に示すものは、フック部１８ｊに操作コード１４を係止させた状態のまま、図６（ａ）における矢印Ａ方向に操作コード１４に沿ってウエイト１６を上昇させたものであり、これにより、操作コード１４の垂下量をさらに小さくすることができる。
【００４７】
図６（ｃ）に示すものは、ウエイト１６から導出された操作コード１４をウエイト１６に一周または数周及び半周、巻付けた後、フック部１８ｊに係止させたものであり、操作コード１４をウエイト１６に巻付けることにより、ウエイト１６の下方に操作コード１４が垂れ下がらないようになっている。
【００４８】
いずれの例においても、フック部１８ｊにおいて、操作コード１４にウエイト１６による張力を作用させた状態で、操作コード１４の向きを変換させることで、フック部１８ｊと操作コード１４の間の摩擦力を高めて、係止状態を保持することができる。
【００４９】
こうして、操作コード１４の一部をフック部１８ｊに係止させることにより、操作コード１４の余分な垂れ下がりを短くすることができる。
【００５０】
なお、以上の実施形態においてウエイト本体１８からの操作コード１４の脱落の防止は、ウエイト本体１８の側部開口部１８ｅ、上部開口部１８ｇ及びスリット１８ｆのうちの一部をカバー２０によって覆うことにより達成することができるため、上記実施形態のようにカバー２０の両係止片２０ｃ、２０ｃによってウエイト本体１８の両側部開口部１８ｅ、１８ｅをそれぞれ覆う形態に限定されるものではない。例えば、カバー２０の壁部２０ａによってスリット１８ｆを覆うことによって達成することも可能であるし、カバー２０の係止片２０ｂによって上部開口部１８ｇの一部を覆うことによって達成することも可能であり、その他、様々な形態が考えられる。
【００５１】
また、ウエイト１６の形状は上記実施の形態に限定されるものではなく、様々な形状が考えられるが、一例として、ウエイト本体１８に側部開口部１８ｅを形成せず、前の壁部１８ｂにスリット１８ｆと連通する２本のスリットをガイド部１８ｄを挟んでそれぞれ形成したものなどとしてもよい。この場合、カバー２０もウエイト本体１８の形状に対応した形状とされるとよい。
【符号の説明】
【００５２】
１０  支持部材
１２  遮蔽材
１４  操作コード
１６  ウエイト
１８  ウエイト本体
１８ｂ、１８ｃ  壁部
１８ｄ  ガイド部
１８ｅ  側部開口部（スリット）
１８ｆ  スリット
１８ｊ  フック部
２０  カバー
２０ｂ  係止片
【図１】
0005713928.tif 000002
【図２】
0005713928.tif 000003
【図３】
0005713928.tif 000004
【図４】
0005713928.tif 000005
【図５】
0005713928.tif 000006
【図６】
0005713928.tif 000007